(57)【要約】【課題】光パワーの低下を防止して、天井面等の被取付面を広く均一に照明できる照明器具を提供することを目的とする。【解決手段】光源２２から発せられた光は、光源２２の照射方向前方に設けられている一対の反射部２４により反射されて配光制御される。このとき、反射部２４は、光源２２の照射方向前方において互いに対向配置された第１の反射面２５と第２の反射面２６とを有し、第１の反射面２５と第２の反射面２６との間隔Ｄ１、Ｄ２が、照射方向前方に行くにつれて拡がるように配置された。このため、一方の反射面２６は光を照射方向近辺に反射し、他方の反射面２５は光を照射方向に対して遠い方向へ反射する。反射部２４は一対設けられているので、照射方向に対して広い範囲を均一に照明することができる。【選択図】図１
2013077477.tif 000002
【特許請求の範囲】
【請求項１】
光源と、
前記光源の照射を配光制御する一対の反射部と、
前記光源および前記反射部を収容する照明ユニットと、を有し、
前記反射部は、前記光源の照射方向前方において互いに対向配置された第１の反射面と第２の反射面とを有し、
前記第１の反射面と前記第２の反射面との間隔が、照射方向前方に行くにつれて拡がるように配置された照明器具。
【請求項２】
請求項１に記載の照明器具において、
前記一対の反射部の間にスリットが設けられている照明器具。
【請求項３】
請求項１または請求項２に記載の照明器具において、
前記光源は、隣接する前記第１の反射面の境界および隣接する前記第２の反射面の境界に対向する位置を外して配置される照明器具。
【発明の詳細な説明】
【技術分野】
【０００１】
本発明は、天井等の被取付面に取り付けて、被取付面を広く、均一に照明できる照明器具に関するものである。
【背景技術】
【０００２】
従来より、天井等の被取付面に取り付けて、被取付面を照明できる照明器具が知られている（例えば、特許文献１参照）。
図７に示すように、特許文献１に記載の照明器具１００は、被取付面である天井面１０１に取付けて室内および天井面１０１等を照明する。照明器具１００は、光源である蛍光灯１０２を収容する蛍光灯収容部１０３と、蛍光灯収容部１０３の上側に設けられて点灯装置等の電気器具を収容する器具収容部１０４とを有し、器具収容部１０４が天井面１０１に取付けられる。
【０００３】
蛍光灯収容部１０３は下面が開口した全体矩形箱状を呈しており、蛍光灯１０２の長手方向に沿ったプリズム構造を有する側壁１０５を有する。２本の蛍光灯１０２、１０２の間には、下に向かって山型をなす一対の反射面１０６、１０６を有する反射板１０７が設けられている。
【０００４】
従って、蛍光灯１０２から下方へ照射された光は、直接下方へ照射される。蛍光灯１０２から中央側へ照射された光は、反射板１０７の反射面１０６に当たって、主に下方へ照射される。蛍光灯１０２から外側へ照射された光は、側壁１０５を通って左右両側へ照射される。このとき、光の一部は、側壁１０５のプリズム作用によって乱反射して、天井面１０１を照明する。
【先行技術文献】
【特許文献】
【０００５】
【特許文献１】特開２０１０−２０５４２２号公報（第１図）
【発明の概要】
【発明が解決しようとする課題】
【０００６】
しかしながら、前述した従来の照明器具のように、プリズムやレンズ等の光を透過させることにより光の向きを変えて天井面等を照明する照明器具では、プリズムやレンズを透過する際に減衰して光パワーが落ちるという問題があった。
【０００７】
本発明は、従来の問題を解決するためになされたもので、光パワーの低下を防止して、天井面等の被取付面を広く均一に照明できる照明器具を提供することを目的とする。
【課題を解決するための手段】
【０００８】
本発明の照明器具は、光源と、前記光源の照射を配光制御する一対の反射部と、前記光源および前記反射部を収容する照明ユニットと、を有し、前記反射部は、前記光源の照射方向前方において互いに対向配置された第１の反射面と第２の反射面とを有し、前記第１の反射面と前記第２の反射面との間隔が、照射方向前方に行くにつれて拡がるように配置されたものである。
【０００９】
また、本発明の照明器具は、前記一対の反射部の間にスリットが設けられているものである。
【００１０】
さらに、本発明の照明器具では、前記光源は、隣接する前記第１の反射面の境界および隣接する前記第２の反射面の境界に対向する位置を外して配置されるものである。
【発明の効果】
【００１１】
本発明では、反射部は、光源の照射方向前方において互いに対向配置された第１の反射面と第２の反射面とを有し、第１の反射面と第２の反射面との間隔が、照射方向前方に行くにつれて拡がるように配置された。このため、一方の反射面は光を照射方向近辺に反射し、他方の反射面は光を照射方向に対して遠い方向へ反射する。反射部は光源を挟んで一対設けられているので、照射方向に対して広い範囲を均一に照明することができるという効果を有する照明器具を提供できる。
【図面の簡単な説明】
【００１２】
【図１】本発明に係る実施形態の照明器具の長手方向に沿って上下に切断した断面図
【図２】（Ａ）は本発明に係る実施形態の照明器具の端面図であり、（Ｂ）は図１中ＩＩ−ＩＩ位置の断面図
【図３】図１中ＩＩＩ−ＩＩＩ位置の拡大断面図
【図４】照明ユニットの分解斜視図
【図５】上向きの照明ユニットによる照射光の経路説明図
【図６】図１中ＶＩ方向から見た平面図
【図７】（Ａ）は従来の照明器具の側面図であり、（Ｂ）は（Ａ）中Ｂ方向から見た端面図であり、（Ｃ）は（Ａ）中Ｃ方向から見た下面図
【発明を実施するための形態】
【００１３】
以下、本発明に係る実施形態の照明器具について、図面を用いて説明する。
図１および図２に示すように、本発明に係る実施形態の照明器具１０は、天井１１等の被取付面に取り付けて、天井１１を照明する。照明器具１０は、例えばパイプ１２やワイヤ１３等の吊下部材により、長手方向に複数個（図１においては、例えば４個）の照明ユニット２０を収容した筐体３０を天井１１から吊下げて使用される。
【００１４】
図３に示すように、矩形断面の筐体３０は上面および下面に開口（上部開口３１、下部開口３２）しており、上部開口３１および下部開口３２に対向して一対の照明ユニット２０、２０Ｕが設けられている。
なお、以下においては、主に上向きの照明ユニット２０について説明するが、下向きの照明ユニット２０Ｕは、上向きの照明ユニット２０と全く同様の構成である。
【００１５】
図３および図４に示すように、上向きの照明ユニット２０は、下方に開口した断面コ字状のフレーム２１の上面に、光源であるＬＥＤ２２を実装したＬＥＤ基板２３が取り付けられている。ＬＥＤ２２は、ＬＥＤ基板２３の長手方向に沿って複数個（ここでは、例えば３個）設けられており、長手方向両端部のＬＥＤ２２は、ＬＥＤ基板２３の端部２３１から一定距離だけ中央側に配置されている。
【００１６】
ＬＥＤ２２の照射方向前方（すなわち、上方）には、ＬＥＤ２２からの光を配光制御する一対の反射部２４を有する。各反射部２４は、ＬＥＤ２２の照射方向前方において互いに対向配置された第１の反射面２５と第２の反射面２６とを有し、第１の反射面２５および第２の反射面２６は両端をエンドプレート２４１に固定されて、枠状を形成している。第１の反射面２５と第２の反射面２６との間は、ＬＥＤ２２からの光が通過可能な空間２７が設けられている。
【００１７】
第１の反射面２５および第２の反射面２６は、互いの間隔Ｄ１、Ｄ２が照射方向前方に行くにつれて拡がるように配置する。
すなわち、図３に示すように、ＬＥＤ２２側端部における第１の反射面２５と第２の反射面２６との間隔Ｄ１と、照射方向前側端部における第１の反射面２５と第２の反射面２６との間隔Ｄ２が、Ｄ１＜Ｄ２の関係となるように設定する。
【００１８】
一対の反射部２４の間には、スリット２８が設けられている。スリット２８は、ＬＥＤ２２の照射方向前方正面に位置する。
従って、図５に示すように、ＬＥＤ２２から照射された光は、ＬＥＤ２２の正面に位置するスリット２８を通過して真上に照射される（照射光Ｌ１）。第１の反射面２５で反射した光は、側方に照射される（照射光Ｌ２）。また、第２の反射面２６で反射した光は、天井１１側に照射される（照射光Ｌ３）。さらに、第１の反射面２５と第２の反射面２６との間の空間２７を通過した光は、そのまま直進する（照射光Ｌ４）。
【００１９】
図６に示すように、筐体３０の内部には、複数個の照明ユニット２０が長手方向に連続して収容されており、隣接する照明ユニット２０のエンドプレート２４１同士が接触している。
前述したように、照明ユニット２０の長手方向両端部のＬＥＤ２２は、エンドプレート２４１から所定距離ＬＥＤ基板２３の中央側に配置されている。このため、ＬＥＤ２２は、隣接する照明ユニット２０の境界に対向する位置（すなわち、エンドプレート２４１位置）には、配置されない。
【００２０】
以上、説明した本発明に係る実施形態の照明器具１０によれば、ＬＥＤ２２から発せられた光は、ＬＥＤ２２の照射方向前方に設けられている一対の反射部２４により反射されて配光制御される。このとき、反射部２４は、ＬＥＤ２２の照射方向前方において互いに対向配置された第１の反射面２５と第２の反射面２６とを有し、第１の反射面２５と第２の反射面２６との間隔Ｄ１、Ｄ２が、照射方向前方に行くにつれて拡がるように配置された。
このため、一方の反射面は光を照射方向近辺に反射し、他方の反射面は光を照射方向に対して遠い方向へ反射する。反射部２４は、ＬＥＤ２２を挟んで一対設けられているので、照射方向に対して両側に、広い範囲を均一に照明することができる。このとき、レンズ等を用いた場合のように光が減衰しないので、効率よく照明できる。
【００２１】
また、一対の反射部２４の間にスリット２８を設けたので、ＬＥＤ２２から発せられた光は、スリット２８を通って、直接照射方向に照射される。
【００２２】
また、隣接する反射部２４の境界となるエンドプレート２４１に対向する位置を外してＬＥＤ２２を配置したので、エンドプレート２４１によって遮られることなく光を照射できる。
【００２３】
なお、本発明の照明器具は、前述した実施形態に限定されるものでなく、適宜な変形，改良等が可能である。
例えば、前述した実施形態に示した照明器具１０おいては、照明ユニット２０、２０Ｕを上下方向に向けて設けた場合を例示したが、上向きの照明ユニット２０のみ、あるいは下向きの照明ユニット２０Ｕのみを設けることも可能である。
【符号の説明】
【００２４】
１０  照明器具
２０、２０Ｕ  照明ユニット
２２  ＬＥＤ（光源）
２４  反射部
２５  第１の反射面
２６  第２の反射面
２８  スリット
Ｄ１、Ｄ２  間隔
【図１】
2013077477.tif 000003
【図２】
2013077477.tif 000004
【図３】
2013077477.tif 000005
【図４】
2013077477.tif 000006
【図５】
2013077477.tif 000007
【図６】
2013077477.tif 000008
【図７】
2013077477.tif 000009